(57)【要約】【課題】衣類のようにたたむ事無く被収納物を巻き取るだけでコンパクトに収納できる巻き取り器及び雨具の収納が容易な雨具セットを提供する。【解決手段】巻き取り器１０は、被収納物１２を巻き取る芯２０と、芯２０に設けられ、被収納物１２の一部を保持できる保持部４０と、芯２０に巻き取られた被収納物１２の芯２０の径方向の寸法及び芯２０の長さ方向の寸法を制限する制限枠３０と、を備える。保持部３０は、芯２０とともに被収納物１２を挟み込む。【選択図】図１
2017171310.tif 000002
【特許請求の範囲】
【請求項１】
被収納物を巻き取る芯と、
前記芯に設けられ、前記被収納物の一部を保持できる保持部と、
前記芯に巻き取られた前記被収納物の該芯の径方向の寸法及び該芯の長さ方向の寸法を制限する制限枠と、を備えた巻き取り器。
【請求項２】
請求項１記載の巻き取り器において、
前記保持部が、前記芯とともに前記被収納物を挟み込む巻き取り器。
【請求項３】
請求項２記載の巻き取り器において、
前記保持部が、前記芯に収容可能となっている巻き取り器。
【請求項４】
請求項３記載の巻き取り器において、
前記保持部の一端部がヒンジ回りに回転する巻き取り器。
【請求項５】
請求項３記載の巻き取り器において、
前記保持部が回転する巻き取り器。
【請求項６】
請求項２〜５のいずれか１項に記載の巻き取り器において、
前記芯を回転させるハンドルを更に備え、
前記ハンドルの長さを変えることができる巻き取り器。
【請求項７】
請求項２〜５のいずれか１項に記載の巻き取り器において、
前記芯を回転させる伸縮可能なハンドルを更に備え、
前記ハンドルが伸びている場合に前記保持部の移動が制限される巻き取り器。
【請求項８】
請求項７記載の巻き取り器において、
前記保持部に凹部が形成され、
前記凹部に向かって進退する進退部材と、前記ハンドルの伸縮に連動して前記進退部材を進退させる力を伝達する伝達部と、を有するロック機構を更に備えた巻き取り器。
【請求項９】
請求項２記載の巻き取り器において、
前記保持部が、一端が前記芯に固定され、該芯の周方向に沿って延び先端に向かうに従って該芯の外周面から離れるように形成された変形可能な部材である巻き取り器。
【請求項１０】
請求項２記載の巻き取り器において、
前記保持部が、前記芯の外周部から延びる紐又は帯である巻き取り器。
【請求項１１】
雨具と、前記雨具を巻き取る巻き取り器と、を備えた雨具セットであって、
前記巻き取り器が、前記雨具を巻き取る芯と、
前記芯に設けられ、前記雨具の一部を保持できる保持部と、
前記芯に巻き取られた前記雨具の前記芯の径方向の寸法及び該芯の長さ方向の寸法を制限する制限枠と、を有する雨具セット。
【発明の詳細な説明】
【技術分野】
【０００１】
本発明は、巻き取り器及び雨具セットに関する。
【背景技術】
【０００２】
特許文献１には、薄布物品用巻取り携行収納ケースが記載されている。この薄布物品用巻取り携行収納ケースは、筒状になったケース本体の内部に、ケース本体のキャップ部に連結されたフックを有する可動軸を取り付けたことを特徴としている。
【先行技術文献】
【特許文献】
【０００３】
【特許文献１】特開２００２−３０２１７３号公報
【発明の概要】
【発明が解決しようとする課題】
【０００４】
本発明は、衣類のようにたたむ事無く被収納物を巻き取るだけでコンパクトに収納できる巻き取り器及び雨具の収納が容易な雨具セットを提供することを目的とする。
【課題を解決するための手段】
【０００５】
前記目的に沿う第１の発明に係る巻き取り器は、被収納物を巻き取る芯と、
前記芯に設けられ、前記被収納物の一部を保持できる保持部と、
前記芯に巻き取られた前記被収納物の該芯の径方向の寸法及び該芯の長さ方向の寸法を制限する制限枠と、を備える。
【０００６】
第１の発明に係る巻き取り器において、
前記保持部が、前記芯とともに前記被収納物を挟み込むことができる。
【０００７】
第１の発明に係る巻き取り器において、
前記保持部が、前記芯に収容可能となっていることが好ましい。
【０００８】
第１の発明に係る巻き取り器において、
前記保持部の一端部がヒンジ回りに回転してもよい。
【０００９】
第１の発明に係る巻き取り器において、
前記保持部が回転してもよい。
【００１０】
第１の発明に係る巻き取り器において、
前記芯を回転させるハンドルを更に備え、
前記ハンドルの長さを変えることができてもよい。
【００１１】
第１の発明に係る巻き取り器において、
前記芯を回転させる伸縮可能なハンドルを更に備え、
前記ハンドルが伸びている場合に前記保持部の移動が制限されることが好ましい。
【００１２】
第１の発明に係る巻き取り器において、
前記保持部に凹部が形成され、
前記凹部に向かって進退する進退部材と、前記ハンドルの伸縮に連動して前記進退部材を進退させる力を伝達する伝達部と、を有するロック機構を更に備えていてもよい。
【００１３】
第１の発明に係る巻き取り器において、
前記保持部が、一端が前記芯に固定され、前記芯の外周部から該芯の周方向に沿って延び、先端に向かうに従って該芯の外周面から離れるように形成された変形可能な部材であってもよい。
【００１４】
第１の発明に係る巻き取り器において、
前記保持部が、前記芯の外周部から延びる紐又は帯であってもよい。
【００１５】
前記目的に沿う第２の発明に係る雨具セットは、雨具と、前記雨具を巻き取る巻き取り器と、を備えた雨具セットであって、
前記巻き取り器が、前記雨具を巻き取る芯と、
前記芯に設けられ、前記雨具の一部を保持できる保持部と、
前記芯に巻き取られた前記雨具の前記芯の径方向の寸法及び該芯の長さ方向の寸法を制限する制限枠と、を有する。
【発明の効果】
【００１６】
本発明によれば、衣類のようにたたむ事無く被収納物を巻き取るだけでコンパクトに収納できる巻き取り器及び雨具の収納が容易な雨具セットを提供できる。
【図面の簡単な説明】
【００１７】
【図１】本発明の第１の実施の形態に係る巻き取り器の図であって、被収納物を収納した状態を示す外観図である。
【図２】同巻き取り器が被収納物を収納する前の状態を示す外観図である。
【図３】同巻き取り器の分解図である。
【図４】同巻き取り器が備える保持部の動作を示す説明図である。
【図５】同巻き取り器が備えるハンドルの動作を示す説明図である。
【図６】（Ａ）、（Ｂ）は、同巻き取り器が備えるロック機構の動作を示す説明図であって、それぞれ、ハンドルを縮めた状態及び伸ばした状態を示す説明図である。
【図７】（Ａ）〜（Ｄ）は、それぞれ、保持部によって被収納物が保持される様子を示す説明図である。
【図８】（Ａ）、（Ｂ）は、それぞれ、同巻き取り器に被収納物を収納する様子及び同巻き取り器から被収納物を取り出す様子を示す説明図である。
【図９】（Ａ）、（Ｂ）は、それぞれ、第２の実施の形態及び第３の実施の形態に係る巻き取り器であって、被収納物を収納する前の状態を示す外観図である。
【発明を実施するための形態】
【００１８】
続いて、添付した図面を参照しつつ、本発明を具体化した実施の形態につき説明し、本発明の理解に供する。なお、図において、説明に関連しない部分は図示を省略する場合がある。
【００１９】
〔第１の実施の形態〕
本発明の第１の実施の形態に係る巻き取り器１０は、図１に示すように、被収納物１２を巻き取って収納することができる。ここで、被収納物１２は、シート状又はネット状の物品であり、一例として、雨具、ネット、スカーフ、ストッキング、ネクタイ、及びテント等が挙げられる。
巻き取り器１０は、図２に示すように、芯２０、制限枠３０、保持部４０、ハンドル５０、及びロック機構６０（図３参照）を備えている。
【００２０】
芯２０は、一方向に延びる丸棒状の部材であり、長手方向に延びる回転軸（図５に示す回転軸ＡＸ３）回りに回転して被収納物１２を巻き取ることができる。芯２０の中央部には、空間が形成され、この空間には、保持部４０及び被収納物１２の一部が収まる。
【００２１】
制限枠３０は、第１の枠板３０２ａ、第２の枠板３０２ｂ、及び一対の側面板３０４ａ、３０４ｂを有し、一方の側と他方の側が開口している。
第１の枠板３０２ａ及び第２の枠板３０２ｂは、芯２０が延びる方向に間隔を空けて配置され、芯２０の一端部及び他端部をそれぞれ回転可能に支持する。
一対の側面板３０４ａ、３０４ｂは、芯２０を挟んで配置され、各側面板３０４ａ、３０４ｂの両端部は、それぞれ、第１の枠板３０２ａ及び第２の枠板３０２ｂによって互いに連結されている。各側面板３０４ａ、３０４ｂの内側の面は、芯２０を中心とする仮想の円筒の外周面に沿って湾曲するように、外側に膨らんだ曲面となっており、芯２０の中心からあらかじめ決められた距離だけ離れている。各側面板３０４ａ、３０４ｂには、それぞれ、芯２０が延びる方向に延びる長孔３０６ａ、３０６ｂが形成されている。
【００２２】
保持部４０は、一方向に延びる平板状の部材であり、芯２０が延びる方向から見た場合に、芯２０を中心とする円の接線方向が厚み方向となっている。保持部４０は、柔軟性及び復元性を有している。なお、保持部４０は、平板状の部材に限定されるものではなく、これ以外の棒状の部材であってもよい。
保持部４０は、芯２０に形成された空間に収容可能となっており、図４に示す芯２０が延びる方向と交差して延びる回転軸ＡＸ１回りに回転し、展開できる（図４に示す矢印参照）。回転軸ＡＸ１は芯２０の第２の枠板３０２ｂの側の端部に設けられている。
なお、保持部４０は、芯２０が延びる方向と交差して延びるヒンジにより回転するように構成されていてもよい。
保持部４０の先端部（回転軸ＡＸ１とは反対側の端部）は、被収納物１２を傷付ける可能性を低減するために角が滑らかに形成され、切り欠き（凹部の一例）４０２が設けられている。
【００２３】
なお、保持部４０が展開できる範囲は、芯２０に設けられたストッパ（不図示）により制限される。保持部４０が展開できる範囲（芯２０が延びる方向から保持部４０が延びる方向までの回転軸ＡＸ１を中心とする角度）は、最大で例えば５０〜７０度に設定されている。
このように、保持部４０は、柔軟性及び復元性を有し、展開できる範囲が制限されている。従って、保持部４０が展開された状態で芯２０が回転しても、保持部４０が制限枠３０に当たり、変形しながら制限枠３０の内側の空間に収まるように戻されるので、保持部４０が破損してしまうことが抑制される。
【００２４】
ハンドル５０は、使用者によって操作され、芯２０を回転させることができる。ハンドル５０は、図５に示すように、腕収容部５０２、腕部５０４及び把手５０６を有し、伸縮可能となっている。
腕収容部５０２は、第１の枠板３０２ａの外側に配置され、芯２０の一方の端部に固定されている。従って、腕収容部５０２が回転軸ＡＸ３回りに回転すると芯２０が回転する。
腕部５０４は、一方向に延びる平板状の部材である。腕部５０４は、腕収容部５０２に収容され、腕収容部５０２から引き出すことができる（図５に示す矢印参照）。
把手５０６は、腕部５０４の先端部に取り付けられ、回転軸ＡＸ２回りに回転可能となっている。
ハンドル５０は、伸縮可能なハンドルに限定されるものではなく、伸縮以外の方法でハンドルの長さが変わってもよい。
【００２５】
ロック機構６０は、図４に示す保持部４０の動作を制限できる。ロック機構６０は、図６（Ａ）及び図６（Ｂ）に示すように、進退部材６０２及び伝達部６０４を有し、進退部材６０２の先端側を除き腕収容部５０２（図５参照）の内部に設けられている。
進退部材６０２は、芯２０が延びる方向に進退できる。進退部材６０２は、図６（Ｂ）に示すように進出すると、保持部４０に形成された切り欠き４０２に挿入される。
【００２６】
伝達部６０４は、押し下げ部材６０６及び板バネ部材６０８を有し、ハンドル５０を伸縮させる力を進退部材６０２に伝達できる。
押し下げ部材６０６は、回転軸ＡＸ４回りに回転でき、腕部５０４が伸びると図６（Ｂ）の矢印で示すように先端側が押し下げられる。
板バネ部材６０８は、図６（Ａ）及び図６（Ｂ）に示すように、中央部の上側が押し下げ部材６０６に接触する位置に配置され、中央部の下側が進退部材６０２に連結されている。従って、板バネ部材６０８は、押し下げ部材６０６が押し下げられると中央部が保持部４０の方向に撓んで進退部材６０２を進出させる。
すなわち、ハンドル５０が伸びている状態においては、進退部材６０２が進出して保持部４０の切り欠き４０２に挿入されるので、保持部４０の展開は制限される。一方、ハンドル５０が縮んでいる状態においては、進退部材６０２が後退しているので、保持部４０の展開は制限されない。
【００２７】
次に、巻き取り器１０の使用方法について説明する。被収納物１２は、以下に示すステップＳ１〜Ｓ５に従って、巻き取り器１０に巻き取られる。
【００２８】
（ステップＳ１）
一方の手で制限枠３０（図２参照）を持ち、その手の人指し指で保持部４０を押し出す。他方の手で押し出された保持部４０を持ち、図７（Ａ）に示す状態から図７（Ｂ）に示す状態となるように、保持部４０の先端が制限枠３０の外側に出るまで引き出して展開する。
【００２９】
（ステップＳ２）
図７（Ｃ）に示すように、被収納物１２の一部を引き出した保持部４０と芯２０との間に差し入れた後、図７（Ｄ）に示すように、被収納物１２とともに保持部４０を芯２０の内部に押し込む。これにより、被収納物１２が芯２０に保持される。
【００３０】
（ステップＳ３）
図８（Ａ）の矢印で示すように、他方の手でハンドル５０を伸ばす。ハンドル５０を伸ばすと、図６（Ａ）に示す伝達部６０４にハンドル５０を伸ばす力が伝達され、図６（Ｂ）に示すように伝達部６０４が進退部材６０２を進出させる。進出した進退部材６０２は、保持部４０に形成された切り欠き４０２に嵌り、保持部４０の展開が制限される。従って、ロック機構６０によって保持部４０の展開が制限されるので、巻取りを開始した際に、図８（Ａ）に示す被収納物１２が巻き取り器１０から外れてしまう可能性が低減される。
【００３１】
（ステップＳ４）
他方の手でハンドル５０を回転させる（図８（Ａ）に示す矢印参照）。ハンドル５０を回転させると、腕収容部５０２とともに芯２０が回転軸ＡＸ３回りに回転し、被収納物１２が巻き取られる。巻き取り器１０には、制限枠３０が設けられているので、巻き取られた被収納物１２は、制限枠３０の内側に収容される。その際、被収納物１２は、制限枠３０に接触し、押し潰されるようにして巻き取られるので、空気が追い出され、嵩が低減された状態で収納される。また、被収納物１２は、制限枠３０によって一部に偏って巻き取られることが抑制される。
【００３２】
（ステップＳ５）
被収納物１２の巻き取りが完了した後、ハンドル５０を縮める。ハンドル５０が縮むことにより進退部材６０２（図６（Ａ）参照）が後退し、ロック機構６０による保持部４０のロックが解除される。
被収納物１２を収納した巻き取り器１０は、例えば、布、樹脂、金属等で形成されたケースや袋に収納することも可能である。
【００３３】
収納された被収納物１２を取り出す場合は、ハンドル５０が縮んだ状態で被収納物１２の一端を持って引き出す。被収納物１２が引き出されると芯２０が回転し、被収納物１２が巻き取り器１０から取り出される。
その際、保持部４０のロックは解除されているので、図８（Ｂ）に示すように、被収納物１２を引き出す力によって保持部４０が自然に展開され、被収納物１２が外れる。
【００３４】
なお、仮にハンドル５０が伸びた状態で被収納物１２を引き出すと、把手５０６（図５参照）がハンドルの回転軸ＡＸ３から離れて偏心している。従って把手５０６が回転軸ＡＸ３の上にある場合と比較して芯２０が回転しにくく、被収納物１２がスムースに引き出されない。
【００３５】
このように、第１の実施の形態に係る巻き取り器１０によれば、保持部４０が芯２０との間で被収納物１２を挟み込むので、被収納物１２を巻き取って収納できる。また、巻き取り器１０によれば、被収納物１２を衣類の様にたたんだり、収納袋等に入れたりする場合と比較して、短時間でコンパクトに収納できる。
特に、巻き取り器１０は、被収納物１２の通気性が悪い場合、空気を追い出しつつコンパクトに巻き上げられるのでその効果が顕著である。
更に、被収納物１２が雨具である場合には、巻き取られる雨具が制限枠３０によって絞られるので、雨具に付着した水滴の量が低減される。
【００３６】
〔第２の実施の形態〕
続いて、本発明の第２の実施の形態に係る巻き取り器１０ｂについて説明する。第１の実施の形態に係る巻き取り器１０と同一の構成要素については、同じ符号を付して詳しい説明を省略する。
本実施の形態に係る巻き取り器１０ｂは、第１の実施の形態に係る巻き取り器１０とは芯及び保持部の形態が相違する。また、巻き取り器１０ｂは、ロック機構６０を備えていない。
【００３７】
巻き取り器１０ｂは、図９（Ａ）に示すように、芯２０ｂ、制限枠３０、保持部４０ｂ、ハンドル５０を備えている。
芯２０ｂは、ハンドル５０の回転に伴って回転する丸棒状の部材である。
【００３８】
保持部４０ｂは、一端が芯２０に固定され、芯２０の外周部から芯２０の周方向に沿って延びる部材である。また、保持部４０ｂは、先端に向かうに従って芯の外周面から離れるように形成された変形可能な部材である。従って、保持部４０ｂと芯２０ｂとの間には、空間が形成されている。
保持部４０ｂの材質は、例えば硬質薄板材である。
【００３９】
次に、巻き取り器１０ｂの使用方法について説明する。
まず、使用者は、保持部４０ｂと芯２０ｂとの間に形成された隙間に、被収納物１２（図１参照）を差し入れる。
次に使用者は、被収納物１２を差し入れた隙間が狭まるように、保持部４０ｂの先端部を芯２０ｂの方へ押す。これにより、被収納物１２が保持部４０ｂ及び芯２０によって挟み込まれ、保持される。
最後に使用者は、被収納物１２を挟み込んだ状態でハンドル５０を回すことによって、保持部４０ｂとともに被収納物１２を巻き取って収納できる。
【００４０】
収納された被収納物１２を取り出す場合は、使用者は、ハンドル５０が縮んだ状態で被収納物１２の一端を持って引き出す。被収納物１２が引き出されると芯２０ｂが回転し、被収納物１２が巻き取り器１０ｂから取り出される。
最後まで被収納物１２を引き出すと、巻き取りによって潰れていた保持部４０ｂの隙間が復元され、挟まっていた被収納物１２の一端は自然に外れる。
【００４１】
このように、第２の実施の形態に係る巻き取り器１０ｂによれば、簡単な構造で第１の実施の形態に係る巻き取り器１０と同様の効果を奏する。
【００４２】
〔第３の実施の形態〕
続いて、本発明の第３の実施の形態に係る巻き取り器１０ｃについて説明する。第２の実施の形態に係る巻き取り器１０ｂと同一の構成要素については、同じ符号を付して詳しい説明を省略する。
本実施の形態に係る巻き取り器１０ｃは、第２の実施の形態に係る巻き取り器１０ｂとは芯及び保持部の形態が相違する。
【００４３】
巻き取り器１０ｃは、図９（Ｂ）に示すように、芯２０ｃ、制限枠３０、保持部４０ｃ、ハンドル５０を備えている。
芯２０ｃは、ハンドル５０の回転に伴って回転する丸棒状の部材である。
【００４４】
保持部４０ｃは、芯２０の外周部から延びる帯である。保持部４０ｃの材質は、例えば、布又はフィルムである。
なお、保持部４０ｃは、帯に代えて紐であってもよい。
【００４５】
次に、巻き取り器１０ｃの使用方法について説明する。
使用者は、被収納物１２（図１参照）を保持部４０ｃで締め、被収納物１２を芯２０ｃに巻き付かせる。
その後、使用者は、ハンドル５０を回すことによって、保持部４０ｃとともに被収納物１２を巻き取って収納できる。
【００４６】
収納された被収納物１２を取り出す場合は、使用者は、ハンドル５０が縮んだ状態で被収納物１２の一端を持って引き出す。被収納物１２が引き出されると芯２０ｃが回転し、被収納物１２が巻き取り器１０ｃから取り出される。
最後まで被収納物１２を引き出すと、巻き取りによって保持部４０ｃとともに挟まっていた被収納物１２は緩み、自然に外れる。
【００４７】
このように、第３の実施の形態に係る巻き取り器１０ｃによれば、簡単な構造で第１の実施の形態に係る巻き取り器１０と同様の効果を奏する。
【００４８】
以上、本発明の実施の形態を説明したが、本発明は、上記した形態に限定されるものでなく、要旨を逸脱しない条件の変更等は全て本発明の適用範囲である。
前述の実施の形態に係る巻き取り器１０を、ポンチョやレインコート等の雨具とともに雨具セットとして提供することも可能である。
【符号の説明】
【００４９】
１０、１０ｂ、１０ｃ  巻き取り器
１２  被収納物
２０、２０ｂ、２０ｃ  芯
３０  制限枠
４０、４０ｂ、４０ｃ  保持部
５０  ハンドル
６０  ロック機構
３０２ａ  第１の枠板
３０２ｂ  第２の枠板
３０４ａ、３０４ｂ  側面板
３０６ａ、３０６ｂ  長孔
４０２  切り欠き
５０２  腕収容部
５０４  腕部
５０６  把手
６０２  進退部材
６０４  伝達部
６０６  押し下げ部材
６０８  板バネ部材
【図１】
2017171310.tif 000003
【図２】
2017171310.tif 000004
【図３】
2017171310.tif 000005
【図４】
2017171310.tif 000006
【図５】
2017171310.tif 000007
【図６】
2017171310.tif 000008
【図７】
2017171310.tif 000009
【図８】
2017171310.tif 000010
【図９】
2017171310.tif 000011
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
被収納物を巻き取る芯と、
前記芯に設けられ、該芯とともに前記被収納物を挟み込み、該被収納物の一部を保持できる保持部と、
前記芯に巻き取られた前記被収納物の該芯の径方向の寸法及び該芯の長さ方向の寸法を制限する制限枠と、を備え、
前記保持部が、前記芯が延びる方向と交差して延びるヒンジ回りに回転し、該芯に形成された空間に収容可能となっている巻き取り器。
【請求項２】
請求項１記載の巻き取り器において、
前記芯を回転させるハンドルを更に備え、
前記ハンドルの長さを変えることができる巻き取り器。
【請求項３】
請求項１記載の巻き取り器において、
前記芯を回転させる伸縮可能なハンドルを更に備え、
前記ハンドルが伸びている場合に前記保持部の回転が制限される巻き取り器。
【請求項４】
請求項３記載の巻き取り器において、
前記保持部に凹部が形成され、
前記凹部に向かって進退する進退部材と、前記ハンドルの伸縮に連動して前記進退部材を進退させる力を伝達する伝達部と、を有するロック機構を更に備えた巻き取り器。
【請求項５】
被収納物を巻き取る芯と、
前記芯に設けられ、該芯とともに前記被収納物を挟み込み、該被収納物の一部を保持できる保持部と、
前記芯に巻き取られた前記被収納物の該芯の径方向の寸法及び該芯の長さ方向の寸法を制限する制限枠と、を備え、
前記保持部が、前記芯が延びる方向と交差して延びる回転軸回りに回転し、該芯に形成された空間に収容可能となっている巻き取り器。
【請求項６】
雨具と、
請求項１〜５のいずれか１項に記載の巻き取り器と、を備えた雨具セット。
【手続補正２】
【補正対象書類名】明細書
【補正対象項目名】全文
【補正方法】変更
【補正の内容】
【発明の詳細な説明】
【技術分野】
【０００１】
本発明は、巻き取り器及び雨具セットに関する。
【背景技術】
【０００２】
特許文献１には、薄布物品用巻取り携行収納ケースが記載されている。この薄布物品用巻取り携行収納ケースは、筒状になったケース本体の内部に、ケース本体のキャップ部に連結されたフックを有する可動軸を取り付けたことを特徴としている。
【先行技術文献】
【特許文献】
【０００３】
【特許文献１】特開２００２−３０２１７３号公報
【発明の概要】
【発明が解決しようとする課題】
【０００４】
本発明は、衣類のようにたたむ事無く被収納物を巻き取るだけでコンパクトに収納できる巻き取り器及び雨具の収納が容易な雨具セットを提供することを目的とする。
【課題を解決するための手段】
【０００５】
前記目的に沿う第１の発明に係る巻き取り器は、被収納物を巻き取る芯と、
前記芯に設けられ、該芯とともに前記被収納物を挟み込み、該被収納物の一部を保持できる保持部と、
前記芯に巻き取られた前記被収納物の該芯の径方向の寸法及び該芯の長さ方向の寸法を制限する制限枠と、を備え、
前記保持部が、前記芯が延びる方向と交差して延びるヒンジ回りに回転し、該芯に形成された空間に収容可能となっている。
【０００６】
【０００７】
【０００８】
【０００９】
【００１０】
第１の発明に係る巻き取り器において、
前記芯を回転させるハンドルを更に備え、
前記ハンドルの長さを変えることができてもよい。
【００１１】
第１の発明に係る巻き取り器において、
前記芯を回転させる伸縮可能なハンドルを更に備え、
前記ハンドルが伸びている場合に前記保持部の回転が制限されることが好ましい。
【００１２】
第１の発明に係る巻き取り器において、
前記保持部に凹部が形成され、
前記凹部に向かって進退する進退部材と、前記ハンドルの伸縮に連動して前記進退部材を進退させる力を伝達する伝達部と、を有するロック機構を更に備えていてもよい。
【００１３】
前記目的に沿う第２の発明に係る巻き取り器は、被収納物を巻き取る芯と、
前記芯に設けられ、該芯とともに前記被収納物を挟み込み、該被収納物の一部を保持できる保持部と、
前記芯に巻き取られた前記被収納物の該芯の径方向の寸法及び該芯の長さ方向の寸法を制限する制限枠と、を備え、
前記保持部が、前記芯が延びる方向と交差して延びる回転軸回りに回転し、該芯に形成された空間に収容可能となっている。
【００１４】
【００１５】
前記目的に沿う第３の発明に係る雨具セットは、雨具と、
第１又は第２の発明に係る巻き取り器と、を備えた雨具セットである。
【発明の効果】
【００１６】
本発明によれば、衣類のようにたたむ事無く被収納物を巻き取るだけでコンパクトに収納できる巻き取り器及び雨具の収納が容易な雨具セットを提供できる。
【図面の簡単な説明】
【００１７】
【図１】本発明の第１の実施の形態に係る巻き取り器の図であって、被収納物を収納した状態を示す外観図である。
【図２】同巻き取り器が被収納物を収納する前の状態を示す外観図である。
【図３】同巻き取り器の分解図である。
【図４】同巻き取り器が備える保持部の動作を示す説明図である。
【図５】同巻き取り器が備えるハンドルの動作を示す説明図である。
【図６】（Ａ）、（Ｂ）は、同巻き取り器が備えるロック機構の動作を示す説明図であって、それぞれ、ハンドルを縮めた状態及び伸ばした状態を示す説明図である。
【図７】（Ａ）〜（Ｄ）は、それぞれ、保持部によって被収納物が保持される様子を示す説明図である。
【図８】（Ａ）、（Ｂ）は、それぞれ、同巻き取り器に被収納物を収納する様子及び同巻き取り器から被収納物を取り出す様子を示す説明図である。
【図９】（Ａ）、（Ｂ）は、それぞれ、第２の実施の形態及び第３の実施の形態に係る巻き取り器であって、被収納物を収納する前の状態を示す外観図である。
【発明を実施するための形態】
【００１８】
続いて、添付した図面を参照しつつ、本発明を具体化した実施の形態につき説明し、本発明の理解に供する。なお、図において、説明に関連しない部分は図示を省略する場合がある。
【００１９】
〔第１の実施の形態〕
本発明の第１の実施の形態に係る巻き取り器１０は、図１に示すように、被収納物１２を巻き取って収納することができる。ここで、被収納物１２は、シート状又はネット状の物品であり、一例として、雨具、ネット、スカーフ、ストッキング、ネクタイ、及びテント等が挙げられる。
巻き取り器１０は、図２に示すように、芯２０、制限枠３０、保持部４０、ハンドル５０、及びロック機構６０（図３参照）を備えている。
【００２０】
芯２０は、一方向に延びる丸棒状の部材であり、長手方向に延びる回転軸（図５に示す回転軸ＡＸ３）回りに回転して被収納物１２を巻き取ることができる。芯２０の中央部には、空間が形成され、この空間には、保持部４０及び被収納物１２の一部が収まる。
【００２１】
制限枠３０は、第１の枠板３０２ａ、第２の枠板３０２ｂ、及び一対の側面板３０４ａ、３０４ｂを有し、一方の側と他方の側が開口している。
第１の枠板３０２ａ及び第２の枠板３０２ｂは、芯２０が延びる方向に間隔を空けて配置され、芯２０の一端部及び他端部をそれぞれ回転可能に支持する。
一対の側面板３０４ａ、３０４ｂは、芯２０を挟んで配置され、各側面板３０４ａ、３０４ｂの両端部は、それぞれ、第１の枠板３０２ａ及び第２の枠板３０２ｂによって互いに連結されている。各側面板３０４ａ、３０４ｂの内側の面は、芯２０を中心とする仮想の円筒の外周面に沿って湾曲するように、外側に膨らんだ曲面となっており、芯２０の中心からあらかじめ決められた距離だけ離れている。各側面板３０４ａ、３０４ｂには、それぞれ、芯２０が延びる方向に延びる長孔３０６ａ、３０６ｂが形成されている。
【００２２】
保持部４０は、一方向に延びる平板状の部材であり、芯２０が延びる方向から見た場合に、芯２０を中心とする円の接線方向が厚み方向となっている。保持部４０は、柔軟性及び復元性を有している。なお、保持部４０は、平板状の部材に限定されるものではなく、これ以外の棒状の部材であってもよい。
保持部４０は、芯２０に形成された空間に収容可能となっており、図４に示す芯２０が延びる方向と交差して延びる回転軸ＡＸ１回りに回転し、展開できる（図４に示す矢印参照）。回転軸ＡＸ１は芯２０の第２の枠板３０２ｂの側の端部に設けられている。
なお、保持部４０は、芯２０が延びる方向と交差して延びるヒンジにより回転するように構成されていてもよい。
保持部４０の先端部（回転軸ＡＸ１とは反対側の端部）は、被収納物１２を傷付ける可能性を低減するために角が滑らかに形成され、切り欠き（凹部の一例）４０２が設けられている。
【００２３】
なお、保持部４０が展開できる範囲は、芯２０に設けられたストッパ（不図示）により制限される。保持部４０が展開できる範囲（芯２０が延びる方向から保持部４０が延びる方向までの回転軸ＡＸ１を中心とする角度）は、最大で例えば５０〜７０度に設定されている。
このように、保持部４０は、柔軟性及び復元性を有し、展開できる範囲が制限されている。従って、保持部４０が展開された状態で芯２０が回転しても、保持部４０が制限枠３０に当たり、変形しながら制限枠３０の内側の空間に収まるように戻されるので、保持部４０が破損してしまうことが抑制される。
【００２４】
ハンドル５０は、使用者によって操作され、芯２０を回転させることができる。ハンドル５０は、図５に示すように、腕収容部５０２、腕部５０４及び把手５０６を有し、伸縮可能となっている。
腕収容部５０２は、第１の枠板３０２ａの外側に配置され、芯２０の一方の端部に固定されている。従って、腕収容部５０２が回転軸ＡＸ３回りに回転すると芯２０が回転する。
腕部５０４は、一方向に延びる平板状の部材である。腕部５０４は、腕収容部５０２に収容され、腕収容部５０２から引き出すことができる（図５に示す矢印参照）。
把手５０６は、腕部５０４の先端部に取り付けられ、回転軸ＡＸ２回りに回転可能となっている。
ハンドル５０は、伸縮可能なハンドルに限定されるものではなく、伸縮以外の方法でハンドルの長さが変わってもよい。
【００２５】
ロック機構６０は、図４に示す保持部４０の動作を制限できる。ロック機構６０は、図６（Ａ）及び図６（Ｂ）に示すように、進退部材６０２及び伝達部６０４を有し、進退部材６０２の先端側を除き腕収容部５０２（図５参照）の内部に設けられている。
進退部材６０２は、芯２０が延びる方向に進退できる。進退部材６０２は、図６（Ｂ）に示すように進出すると、保持部４０に形成された切り欠き４０２に挿入される。
【００２６】
伝達部６０４は、押し下げ部材６０６及び板バネ部材６０８を有し、ハンドル５０を伸縮させる力を進退部材６０２に伝達できる。
押し下げ部材６０６は、回転軸ＡＸ４回りに回転でき、腕部５０４が伸びると図６（Ｂ）の矢印で示すように先端側が押し下げられる。
板バネ部材６０８は、図６（Ａ）及び図６（Ｂ）に示すように、中央部の上側が押し下げ部材６０６に接触する位置に配置され、中央部の下側が進退部材６０２に連結されている。従って、板バネ部材６０８は、押し下げ部材６０６が押し下げられると中央部が保持部４０の方向に撓んで進退部材６０２を進出させる。
すなわち、ハンドル５０が伸びている状態においては、進退部材６０２が進出して保持部４０の切り欠き４０２に挿入されるので、保持部４０の展開は制限される。一方、ハンドル５０が縮んでいる状態においては、進退部材６０２が後退しているので、保持部４０の展開は制限されない。
【００２７】
次に、巻き取り器１０の使用方法について説明する。被収納物１２は、以下に示すステップＳ１〜Ｓ５に従って、巻き取り器１０に巻き取られる。
【００２８】
（ステップＳ１）
一方の手で制限枠３０（図２参照）を持ち、その手の人指し指で保持部４０を押し出す。他方の手で押し出された保持部４０を持ち、図７（Ａ）に示す状態から図７（Ｂ）に示す状態となるように、保持部４０の先端が制限枠３０の外側に出るまで引き出して展開する。
【００２９】
（ステップＳ２）
図７（Ｃ）に示すように、被収納物１２の一部を引き出した保持部４０と芯２０との間に差し入れた後、図７（Ｄ）に示すように、被収納物１２とともに保持部４０を芯２０の内部に押し込む。これにより、被収納物１２が芯２０に保持される。
【００３０】
（ステップＳ３）
図８（Ａ）の矢印で示すように、他方の手でハンドル５０を伸ばす。ハンドル５０を伸ばすと、図６（Ａ）に示す伝達部６０４にハンドル５０を伸ばす力が伝達され、図６（Ｂ）に示すように伝達部６０４が進退部材６０２を進出させる。進出した進退部材６０２は、保持部４０に形成された切り欠き４０２に嵌り、保持部４０の展開が制限される。従って、ロック機構６０によって保持部４０の展開が制限されるので、巻取りを開始した際に、図８（Ａ）に示す被収納物１２が巻き取り器１０から外れてしまう可能性が低減される
。
【００３１】
（ステップＳ４）
他方の手でハンドル５０を回転させる（図８（Ａ）に示す矢印参照）。ハンドル５０を回転させると、腕収容部５０２とともに芯２０が回転軸ＡＸ３回りに回転し、被収納物１２が巻き取られる。巻き取り器１０には、制限枠３０が設けられているので、巻き取られた被収納物１２は、制限枠３０の内側に収容される。その際、被収納物１２は、制限枠３０に接触し、押し潰されるようにして巻き取られるので、空気が追い出され、嵩が低減された状態で収納される。また、被収納物１２は、制限枠３０によって一部に偏って巻き取られることが抑制される。
【００３２】
（ステップＳ５）
被収納物１２の巻き取りが完了した後、ハンドル５０を縮める。ハンドル５０が縮むことにより進退部材６０２（図６（Ａ）参照）が後退し、ロック機構６０による保持部４０のロックが解除される。
被収納物１２を収納した巻き取り器１０は、例えば、布、樹脂、金属等で形成されたケースや袋に収納することも可能である。
【００３３】
収納された被収納物１２を取り出す場合は、ハンドル５０が縮んだ状態で被収納物１２の一端を持って引き出す。被収納物１２が引き出されると芯２０が回転し、被収納物１２が巻き取り器１０から取り出される。
その際、保持部４０のロックは解除されているので、図８（Ｂ）に示すように、被収納物１２を引き出す力によって保持部４０が自然に展開され、被収納物１２が外れる。
【００３４】
なお、仮にハンドル５０が伸びた状態で被収納物１２を引き出すと、把手５０６（図５参照）がハンドルの回転軸ＡＸ３から離れて偏心している。従って把手５０６が回転軸ＡＸ３の上にある場合と比較して芯２０が回転しにくく、被収納物１２がスムースに引き出されない。
【００３５】
このように、第１の実施の形態に係る巻き取り器１０によれば、保持部４０が芯２０との間で被収納物１２を挟み込むので、被収納物１２を巻き取って収納できる。また、巻き取り器１０によれば、被収納物１２を衣類の様にたたんだり、収納袋等に入れたりする場合と比較して、短時間でコンパクトに収納できる。
特に、巻き取り器１０は、被収納物１２の通気性が悪い場合、空気を追い出しつつコンパクトに巻き上げられるのでその効果が顕著である。
更に、被収納物１２が雨具である場合には、巻き取られる雨具が制限枠３０によって絞られるので、雨具に付着した水滴の量が低減される。
【００３６】
〔第２の実施の形態〕
続いて、本発明の第２の実施の形態に係る巻き取り器１０ｂについて説明する。第１の実施の形態に係る巻き取り器１０と同一の構成要素については、同じ符号を付して詳しい説明を省略する。
本実施の形態に係る巻き取り器１０ｂは、第１の実施の形態に係る巻き取り器１０とは芯及び保持部の形態が相違する。また、巻き取り器１０ｂは、ロック機構６０を備えていない。
【００３７】
巻き取り器１０ｂは、図９（Ａ）に示すように、芯２０ｂ、制限枠３０、保持部４０ｂ、ハンドル５０を備えている。
芯２０ｂは、ハンドル５０の回転に伴って回転する丸棒状の部材である。
【００３８】
保持部４０ｂは、一端が芯２０に固定され、芯２０の外周部から芯２０の周方向に沿って延びる部材である。また、保持部４０ｂは、先端に向かうに従って芯の外周面から離れるように形成された変形可能な部材である。従って、保持部４０ｂと芯２０ｂとの間には、空間が形成されている。
保持部４０ｂの材質は、例えば硬質薄板材である。
【００３９】
次に、巻き取り器１０ｂの使用方法について説明する。
まず、使用者は、保持部４０ｂと芯２０ｂとの間に形成された隙間に、被収納物１２（図１参照）を差し入れる。
次に使用者は、被収納物１２を差し入れた隙間が狭まるように、保持部４０ｂの先端部を芯２０ｂの方へ押す。これにより、被収納物１２が保持部４０ｂ及び芯２０によって挟み込まれ、保持される。
最後に使用者は、被収納物１２を挟み込んだ状態でハンドル５０を回すことによって、保持部４０ｂとともに被収納物１２を巻き取って収納できる。
【００４０】
収納された被収納物１２を取り出す場合は、使用者は、ハンドル５０が縮んだ状態で被収納物１２の一端を持って引き出す。被収納物１２が引き出されると芯２０ｂが回転し、
被収納物１２が巻き取り器１０ｂから取り出される。
最後まで被収納物１２を引き出すと、巻き取りによって潰れていた保持部４０ｂの隙間が復元され、挟まっていた被収納物１２の一端は自然に外れる。
【００４１】
このように、第２の実施の形態に係る巻き取り器１０ｂによれば、簡単な構造で第１の実施の形態に係る巻き取り器１０と同様の効果を奏する。
【００４２】
〔第３の実施の形態〕
続いて、本発明の第３の実施の形態に係る巻き取り器１０ｃについて説明する。第２の実施の形態に係る巻き取り器１０ｂと同一の構成要素については、同じ符号を付して詳しい説明を省略する。
本実施の形態に係る巻き取り器１０ｃは、第２の実施の形態に係る巻き取り器１０ｂとは芯及び保持部の形態が相違する。
【００４３】
巻き取り器１０ｃは、図９（Ｂ）に示すように、芯２０ｃ、制限枠３０、保持部４０ｃ、ハンドル５０を備えている。
芯２０ｃは、ハンドル５０の回転に伴って回転する丸棒状の部材である。
【００４４】
保持部４０ｃは、芯２０の外周部から延びる帯である。保持部４０ｃの材質は、例えば、布又はフィルムである。
なお、保持部４０ｃは、帯に代えて紐であってもよい。
【００４５】
次に、巻き取り器１０ｃの使用方法について説明する。
使用者は、被収納物１２（図１参照）を保持部４０ｃで締め、被収納物１２を芯２０ｃに巻き付かせる。
その後、使用者は、ハンドル５０を回すことによって、保持部４０ｃとともに被収納物１２を巻き取って収納できる。
【００４６】
収納された被収納物１２を取り出す場合は、使用者は、ハンドル５０が縮んだ状態で被収納物１２の一端を持って引き出す。被収納物１２が引き出されると芯２０ｃが回転し、被収納物１２が巻き取り器１０ｃから取り出される。
最後まで被収納物１２を引き出すと、巻き取りによって保持部４０ｃとともに挟まっていた被収納物１２は緩み、自然に外れる。
【００４７】
このように、第３の実施の形態に係る巻き取り器１０ｃによれば、簡単な構造で第１の実施の形態に係る巻き取り器１０と同様の効果を奏する。
【００４８】
以上、本発明の実施の形態を説明したが、本発明は、上記した形態に限定されるものでなく、要旨を逸脱しない条件の変更等は全て本発明の適用範囲である。
前述の実施の形態に係る巻き取り器１０を、ポンチョやレインコート等の雨具とともに雨具セットとして提供することも可能である。
【符号の説明】
【００４９】
１０、１０ｂ、１０ｃ  巻き取り器
１２  被収納物
２０、２０ｂ、２０ｃ  芯
３０  制限枠
４０、４０ｂ、４０ｃ  保持部
５０  ハンドル
６０  ロック機構
３０２ａ  第１の枠板
３０２ｂ  第２の枠板
３０４ａ、３０４ｂ  側面板
３０６ａ、３０６ｂ  長孔
４０２  切り欠き
５０２  腕収容部
５０４  腕部
５０６  把手
６０２  進退部材
６０４  伝達部
６０６  押し下げ部材
６０８  板バネ部材